(57)【要約】【課題】フェースを閉じた状態でアドレスしても違和感を小さくすることができるゴルフクラブヘッドを提供する。【解決手段】本発明に係るゴルフクラブヘッドは、フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、前記第１領域と第２領域との間で、トゥ−ヒール方向に延び、当該第１領域側から第２領域に向かって下方に延びる段差領域と、を備え、前記第１領域は、フェースセンターを基準に、少なくとも、ヒール側に２０ｍｍの位置Ｐｈからトゥ側に２５ｍｍの位置Ｐｔまで、延びるように形成され、前記第１領域の前記位置Ｐｈにおけるフェース−バック方向の幅Ｄｈ、前記第１領域の前記位置Ｐｔにおけるフェース−バック方向の幅Ｄｔが、１＜(Ｄｔ／Ｄｈ)≦１．３５を充足する。【選択図】図３
2018175517.tif 000002
【特許請求の範囲】
【請求項１】
フェース部と、
クラウン部と、
ソール部と、
を備え、
前記クラウン部は、
前記フェース部の少なくとも一部に沿ってトゥ−ヒール方向に延びる第１領域と、
前記第１領域よりもバック側に配置される第２領域と、
前記第１領域と第２領域との間で、トゥ−ヒール方向に延び、当該第１領域側から第２領域に向かって下方に延びる段差領域と、
を備え、
前記第１領域は、フェースセンターを基準に、少なくとも、ヒール側に２０ｍｍの位置Ｐｈからトゥ側に２５ｍｍの位置Ｐｔまで、延びるように形成され、
前記第１領域の前記位置Ｐｈにおけるフェース−バック方向の幅Ｄｈ、前記第１領域の前記位置Ｐｔにおけるフェース−バック方向の幅Ｄｔが、１＜(Ｄｔ／Ｄｈ)≦１．３５を充足する、ゴルフクラブヘッド。
【請求項２】
前記幅Ｄｈと前記幅Ｄｔとの差が、６ｍｍ以下である、請求項１に記載のゴルフクラブヘッド。
【請求項３】
前記位置Ｐｈから前記位置Ｐｔの間において、前記第１領域のフェース−バック方向の長さが、５〜３０ｍｍである、請求項１または２に記載のゴルフクラブヘッド。
【請求項４】
前記第１領域のフェース側の端縁において、前記位置Ｐｈと前記位置Ｐｔとを結ぶ直線と、
前記第１領域のバック側の端縁において、前記位置Ｐｈと前記位置Ｐｔとを結ぶ直線と、
のなす角θが、０°＜θ≦８°を充足する、請求項１から３のいずれかに記載のゴルフクラブヘッド。
【請求項５】
前記フェース部のフェース角ＦＡが、−５°≦ＦＡ≦０°を充足する、請求項１から４のいずれかに記載のゴルフクラブヘッド。
【発明の詳細な説明】
【技術分野】
【０００１】
本発明は、ゴルフクラブヘッドに関する。
【背景技術】
【０００２】
近年、クラウン部にトゥーヒール方向に延びる隆起部を設け、隆起部とその後方部分との間の段差として傾斜面を形成したゴルフクラブヘッドが提案されている（例えば、特許文献１）。そして、ゴルファーは、この段差を視認することで、アドレス時に打球の方向性を定めやすくなっている。
【先行技術文献】
【特許文献】
【０００３】
【特許文献１】特開２０１５−２９６２８号公報
【発明の概要】
【発明が解決しようとする課題】
【０００４】
ところで、ゴルファーは、ボールのつかまりをよくするため、あるいはスライスを防止するために、意図的にフェースが閉じる方向（例えば、右利き用のクラブの場合、フェースが目標方向に対して左を向く方向）にフェースを回転させた状態でグリップを握ってアドレスすることがある。なお、「ボールのつかまりをよくする」とは、例えば、右利きのゴルファーの場合、ボールが意図した打ち出し方向（左右方向）よりも右に打ち出されないようにすることをいう。しかしながら、ゴルファーは通常、アドレスの際の基準としてフェースの向き（例えば、ウッド型ゴルフクラブの場合は、フェースの上端縁の向き）が、ターゲットライン（目標方向）に対して垂直になるようにアドレスを行う。そのため、上記のようにフェースを閉じた状態でアドレスした場合、フェースの向きと目標方向とが垂直にならないため、違和感を感じることがある。
【０００５】
特に、特許文献１のようなクラブでは、クラウン部に段差が形成されているため、フェースの向きがより視認しやすく、これによって、さらに違和感を感じるという問題があった。本発明では、この問題を解決するためになされたものであり、フェースを閉じた状態でアドレスしても違和感を小さくすることができるゴルフクラブヘッドを提供することを目的とする。
【課題を解決するための手段】
【０００６】
本発明に係るゴルフクラブヘッドは、フェース部と、クラウン部と、ソール部と、を備え、前記クラウン部は、前記フェース部の少なくとも一部に沿ってトゥ−ヒール方向に延びる第１領域と、前記第１領域よりもバック側に配置される第２領域と、前記第１領域と第２領域との間で、トゥ−ヒール方向に延び、当該第１領域側から第２領域に向かって下方に延びる段差領域と、を備え、前記第１領域は、フェースセンターを基準に、少なくとも、ヒール側に２０ｍｍの位置Ｐｈからトゥ側に２５ｍｍの位置Ｐｔまで、延びるように形成され、前記第１領域の前記位置Ｐｈにおけるフェース−バック方向の幅Ｄｈ、前記第１領域の前記位置Ｐｔにおけるフェース−バック方向の幅Ｄｔが、１＜(Ｄｔ／Ｄｈ)≦１．３５を充足する。
【０００７】
上記ゴルフクラブヘッドにおいては、前記幅Ｄｈと前記幅Ｄｔとの差を、６ｍｍ以下とすることができる。
【０００８】
上記各ゴルフクラブヘッドでは、前記位置Ｐｈから前記位置Ｐｔの間において、前記第１領域のフェース−バック方向の長さを、５〜３０ｍｍとすることができる。
【０００９】
上記各ゴルフクラブヘッドでは、前記第１領域のフェース側の端縁において、前記位置Ｐｈと前記位置Ｐｔとを結ぶ直線と、前記第１領域のバック側の端縁において、前記位置Ｐｈと前記位置Ｐｔとを結ぶ直線と、のなす角θが、０°＜θ≦８°を充足するように構成することができる。
【００１０】
上記各ゴルフクラブヘッドでは、前記フェース部のフェース角ＦＡが、−５°≦ＦＡ≦０°を充足するように構成することができる。
【発明の効果】
【００１１】
本発明に係るゴルフクラブヘッドによれば、フェースを閉じた状態でアドレスしても違和感を小さくすることができる。
【図面の簡単な説明】
【００１２】
【図１】本実施形態に係るゴルフクラブヘッドをフェース側から見た斜視図である。
【図２】図１のゴルフクラブヘッドをバック側から見た斜視図である。
【図３】図１のヘッドの基準状態での平面図である。
【図４】図３のＡ−Ａ線断面図である。
【図５Ａ】フェース部の境界を説明する図である。
【図５Ｂ】フェース部の境界を説明する図である。
【図６】アドレス時のヘッドを示す平面図である。
【図７】隆起部の他の例を示す平面図である。
【発明を実施するための形態】
【００１３】
以下、本発明に係るゴルフクラブヘッドの一実施形態について、図面を参照しつつ説明する。図１は、このゴルフクラブヘッドをフェース側から見た斜視図、図２は、このゴルフクラブヘッドをバック側から見た斜視図、図３は、ヘッドの基準状態での平面図、図４は、図３のＡ−Ａ線断面図である。なお、ゴルフクラブヘッドの基準状態については、後述する。
【００１４】
＜１．ゴルフクラブヘッドの概要＞
図１〜図４に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたウッド型のゴルフクラブヘッドである。具体的には、ユーティリティ、フェアウェイウッド、ドライバーといったゴルフクラブヘッドに適用することができる。
【００１５】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１６】
ここで、ゴルフクラブヘッド１００を地面に設置するときの基準状態について説明する。まず、図３及び図４に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図３に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００１７】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図５Ａに示されるように、ヘッド重心ＧとスイートスポットＳＳとを結ぶ直線Ｎを含む各断面Ｅ１、Ｅ２、Ｅ３…において、図５Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００１８】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００１９】
また、ヘッド１００は、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２０】
また、このゴルフクラブヘッド１００の体積は、例えば、８０ｃｍ3以上４６０ｃｍ3以下である。
【００２１】
＜２．ゴルフクラブヘッドの組立構造＞
本実施形態に係るゴルフクラブヘッド１００は、図４に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１００のクラウン部２及びソール部３の一部として機能する。
【００２２】
したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部２及びソール部３は、ヘッド１００のクラウン部２及びソール部３の一部ではあるが、本明細書では、これらを区別することなく、ヘッド本体１０１の各部も、単にクラウン部２、ソール部３と称することがある。
【００２３】
＜３．クラウン部の構造＞
続いて、クラウン部２について説明する。図１〜図４に示すように、クラウン部２は、フェース部側に配置される隆起部（第１領域）２１と、隆起部２１よりもバック側に配置される基部（第２領域）２２とで、構成されている。隆起部２１は、主として、フェース部１に沿ってトゥ−ヒール方向に延びる帯状の領域であり、トゥ側及びヒール側の両端部は、クラウン部２の周縁に沿ってややバック側へ延びており、全体として平面視Ｕ字状に形成されている。したがって、隆起部２１のバック側の端縁はやや湾曲している。一方、基部２２は、隆起部２１よりも低い位置でクラウン部２の大半を占める領域であり、その周縁はソール部３と接している。そして、隆起部２１と基部２２との境界には段差を構成する傾斜面（段差領域）２３が形成されている。これにより、隆起部２１と基部２２との段差の分だけ、フェース部１の上下方向の高さが高くなっている。
【００２４】
この傾斜面２３は、フェース部１側にいくにしたがって、上方に延びるように構成されている。これにより、ゴルフクラブヘッド１００を基準状態で設置したとき、上方から傾斜面２３を視認することができる。すなわち、アドレスに入ったゴルファーから視認可能となっている。そして、傾斜面２３は、隆起部２１に沿って形成されているため、隆起部２１と同様に、平面視Ｕ字状に形成されている。
【００２５】
図３に示すように、隆起部２１のフェース−バック方向の幅Ｄは、次のように規定することができる。すなわち、フェースセンターＣからトゥ側に２５ｍｍの位置Ｐｔと、ヒール側に２０ｍｍの位置Ｐｈを規定する。そして、位置Ｐｔにおける隆起部２１の幅をＤｔ、位置Ｐｈにおける隆起部の幅をＤｈとすると、Ｄｔ，Ｄｈが以下の式（１）を充足するように隆起部２１が形成されている。
１＜（Ｄｔ／Ｄｈ）≦１．３５      （１）
【００２６】
但し、（Ｄｔ／Ｄｈ）は、１．３以下であることが好ましく、１．２５以下であることがさらに好ましい。また、（Ｄｔ／Ｄｈ）は、１．０５以上であることが好ましく、１．１以上であることがさらに好ましい。
【００２７】
すなわち、隆起部２１は、ＤｔがＤｈより大きくなるように形成されている。具体的には、例えば、以下の式（２），（３）のようにＤｔ，Ｄｈの長さを設定することが好ましい。
１０ｍｍ≦Ｄｔ≦３０ｍｍ        （２）
６．５ｍｍ≦Ｄｈ≦３０ｍｍ      （３）
【００２８】
位置Ｐｔから位置Ｐｈまでの範囲内では、隆起部２１の幅Ｄが、以下の式（４）を充足することが好ましい。
５ｍｍ≦Ｄ≦３０ｍｍ      （４）
【００２９】
また、ＤｔとＤｈとの差Ｄｎは、以下のように設定することが好ましい。
Ｄｎ≦６ｍｍ      （５）
但し、Ｄｎは、５ｍｍ以下であることがさらに好ましく、４ｍｍ以下であることが特に好ましい。
【００３０】
また、位置Ｐｔにおける隆起部２１のフェース側の端縁Ｐｔ１と、位置Ｐｈにおける隆起部２１のフェース側の端縁Ｐｈ１と、を結ぶ直線Ｌ１を規定する。さらに、位置Ｐｔにおける隆起部２１のバック側の端縁Ｐｔ２と、位置Ｐｈにおける隆起部２１のバック側の端縁Ｐｈ２と、を結ぶ直線Ｌ２を規定する。この場合、直線Ｌ１と直線Ｌ２とのなす角θが、以下の式（６）を充足することが好ましい。
０＜θ≦８°      （６）
【００３１】
なお、フェースセンターとは、以下のように定義することができる。まず、フェース部１（フェース面）上において、トゥ−ヒール方向および上下方向の概ね中央付近で任意の点Ｐｏを決定する。この点Ｐｏを通りトゥ−ヒール方向に延びる線ｘを引き、この線ｘの中点Ｐｘを決定する。続いて、フェース部１上において、点Ｐｘを通り上下方向に延びる線ｙを引き、この線の中点Ｐｙを決定する。そして、こうして決定された点Ｐｙを通りトゥ−ヒール方向に延びる線を線ｘとして引き直し、その後上記と同様にして点Ｐｙを決定し直す工程を繰り返す。この工程の繰り返しの中で、前回の点Ｐｙと新たな点Ｐｙとの間の距離が０．５ｍｍ以下となったときの当該新たな点Ｐｙが、フェースセンターと定義される。なお、より詳細には、上記の点Ｐｏを通る線ｘは、この点Ｐｏを通るフェース面の法線を含みかつトゥ−ヒール方向に平行な平面と、フェース面（フェース部１の表面）との交線である。また、より詳細には、上記の点Ｐｘを通る線ｙは、この点Ｐｘを通るフェース面の法線を含みかつ上下方向に平行な平面と、フェース面との交線である。また、より詳細には、上記の点Ｐｙを通る線ｘは、この点Ｐｙを通るフェース面の法線を含みかつトゥ−ヒール方向に平行な平面と、フェース面との交線である。なお、上記線ｘおよび線ｙの長さの測定は、フェース面に沿って測定される。
【００３２】
また、図４に示すように、傾斜面２３の平面視におけるフェース−バック方向の幅Ｗは、例えば、３〜９ｍｍとすることが好ましく、３〜７ｍｍであることがさらに好ましい。さらに、傾斜面２３の高さＨは、例えば、０．５〜８ｍｍとすることが好ましく、０．５〜６ｍｍとすることがさらに好ましく、０．５〜５ｍｍとすることが特に好ましい。
【００３３】
＜４．フェース部及びソール部の構造＞
フェース部１及びソール部３の構造は特には限定されない。フェース部１については、例えば、肉厚を適宜変更することができる。また、フェース角ＦＡは、以下の式（７）を充足することが好ましい。
−５°≦ＦＡ≦０°      （７）
【００３４】
なお、フェース角ＦＡは次のように定義される。まず、ヘッドの基準状態において、フェースセンターのトゥ側およびヒール側にそれぞれ４０ｍｍ離れた位置にあるフェース面上の２点Ｆ１，Ｆ２を結ぶ直線ＦＬを引く。この直線ＦＬとトゥ−ヒール方向に平行に延びる直線とのなす角度がフェース角ＦＡと定義される。なお、ヘッドのフェース面の大きさに起因して、フェース面上に点Ｆ１，Ｆ２がとれない場合は、フェースセンターのトゥ側およびヒール側にそれぞれ３０ｍｍ離れた位置にあるフェース面上の２点を結ぶ直線を直線ＦＬとする。また、フェース角ＦＡの正負の符号は、フェースが閉じる方向（上述）にフェースが向いている場合を正とし、フェースが開く方向（例えば右利き用のクラブの場合、フェースが目標方向に対して右を向く方向）にフェースが向いている場合を負とする。
【００３５】
ソール部３の構造も、デザイン的あるいは性能上の観点から適宜凹凸を形成したり、肉厚を変化させることができる。
【００３６】
＜５．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。
【００３７】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３８】
＜６．特徴＞
上記実施形態によれば、以下の効果を得ることができる。
(1) クラウン部２において、隆起部２１が基部２２よりも、傾斜面２３を介して高く形成されているため、隆起部２１が高くなった分だけ、フェース部１の高さを高くすることができる。そのため、フェース部１における反発性能を向上することができる。また、クラウン部２においては、隆起部２１のみが高く形成され、クラウン部２の大半を占める基部２２は隆起部２１よりも低い位置に形成されているため、ヘッドの重心を低くすることができる。
【００３９】
(2) アドレス時に、隆起部２１のバック側の端縁を利用してヘッドの向きを決めることができる。このとき、隆起部２１の幅Ｄｔ，Ｄｈが式（１）を充足しているため、隆起部２１のバック側の端縁は、隆起部２１のフェース側の端縁との間の距離がトウ側の位置Ｐｔでヒール側の位置Ｐｈよりも大きくなるように延びている。そのため、次の効果を得ることができる。
【００４０】
ゴルファーは、ボールのつかまりをよくするため、あるいはスライスを防止するために、意図的にフェース面が閉じる方向（例えば、右利き用のクラブの場合、フェース面が目標方向に対して左を向く方向）にフェース面を回転させた状態でグリップを握ってアドレスすることがある。このとき、フェース面の上端縁（隆起部２１のフェース側の端縁）は、ターゲットラインに対して直交せずに傾斜するが、隆起部２１のバック側の端縁は、上記式（１）を充足しているため、ターゲットラインに対して直交する方向に延びることになる。すなわち、図６に示すように、隆起部２１のフェース側の端縁に沿う直線Ｌ１は、ターゲットラインに対して直交せずに傾斜しているが、隆起部２１のバック側の端縁に沿う直線Ｌ２はターゲットラインに対して概ね直交するように延びる。そのため、アドレス時には、フェース面の上端縁ではなく、隆起部２１のバック側の端縁の向きを目標に合わせることができる。したがって、フェース面を閉じた状態でも、違和感なく、アドレスすることができる。
【００４１】
(3) また、上記式（１）に加え、上記式（２）〜（６）を充足すると、フェース面を閉じた状態でも、さらに違和感なく、アドレスすることができる。
【００４２】
(4) また、上記式（７）を充足すると、基準状態において、フェースがスクエアな方向（ターゲットラインに直交する方向）、またはフェースが開く方向（例えば、右利き用のクラブの場合、フェースが目標方向に対して右を向く方向）を向く。そのため、ヘッドを基準状態にした状態でグリップを握ってアドレスすると、隆起部２１のバック側の端縁は目標方向に対して開く方向（例えば、右利き用のクラブの場合、隆起部２１のバック側の端縁に直交する方向が目標方向に対して右を向く方向）に延びる。ゴルファーは、アドレス時の基準となり得るものが目標方向に対して閉じた方向を向いている場合に違和感を感じ易い。よって、上記式（７）を充足することでこの違和感をなくすことができる。
【００４３】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４４】
＜７−１＞
上述した効果を得るためには、少なくとも式（１）を充足するように隆起部２１が形成されていればよい。したがって、式（２）〜（７）は必要に応じて適宜設定すればよい。
【００４５】
上記実施形態では、隆起部２１を平面視Ｕ字状に形成しているが、これに限定されない。すなわち、式（１）を充足している限りは、例えば、隆起部２１のバック側の端縁２１１は、図７（ａ）に示すように、直線状に形成したり、図７（ｂ）に示すように、位置Ｐｔと位置Ｐｈの間で一箇所または複数箇所で屈曲するように形成したり、あるいは、図７（ｃ）に示すように、曲線状に形成することができる。
【００４６】
＜７−２＞
上記実施形態では、傾斜面２３を平面視Ｕ字状に形成しているが、これに限定されるものではなく、概ねトゥ−ヒール方向に延びるものであればよい。したがって、例えば、トゥ−ヒール方向に概ね真っ直ぐに延びる帯状に形成することもできる。また、傾斜面２３は、必ずしも平面でなくてもよい。例えば、傾斜面を曲面状に形成することもできる。さらに、隆起部２１と基部２２との間は、必ずしも傾斜してなくてもよく、上下方向に延びるような段差であってもよい。
【００４７】
＜７−３＞
上記実施形態に係るヘッドは、少なくともクラウン部２を有するヘッド本体と、他の部分を組み合わせることで構成されていたが、クラウン部２のみを別体で形成するヘッドに対しても適用することができる。例えば、フェース部、サイド部、及びソール部を備え、クラウン部用の開口が形成されたヘッド本体に対し、クラウン部を開口に嵌め込んでヘッドを構成することかできる。また、カップフェース構造でなくてもよく、フェース部１に形成された開口に平板状のフェース用部材を嵌め込み、ヘッド本体に溶接することでヘッドを構成することもできる。
【実施例】
【００４８】
以下、本発明の実施例について説明する。但し、本発明は以下の実施例に限定されない。
【００４９】
ここでは、上述した図１〜図４と概ね同形状のゴルフクラブヘッドであって、以下の通り、上記式（１）を充足する実施例１，２と、式（１）を充足しない比較例１，２を作製した。
実施例１      Ｄｔ／Ｄｈ＝１．２  （Ｄｔ＝22.0ｍｍ、Ｄｈ＝18.3ｍｍ）
実施例２      Ｄｔ／Ｄｈ＝１．３  （Ｄｔ＝23.8ｍｍ、Ｄｈ＝18.3ｍｍ）
比較例１      Ｄｔ／Ｄｈ＝１      （Ｄｔ＝18.3ｍｍ、Ｄｈ＝18.3ｍｍ）
比較例２      Ｄｔ／Ｄｈ＝１．４  （Ｄｔ＝25.7ｍｍ、Ｄｈ＝18.3ｍｍ）
【００５０】
上記のように作製したゴルフクラブを、２０名のゴルファーに確認させた。すなわち、好天の下、フェース面を閉じるようにしてアドレスを行ったとき、違和感を感じるか否かの官能試験を行った。その結果、実施例１，２では、全てのゴルファーが違和感なくアドレスを行うことができると回答した。
【００５１】
一方、比較例１では、６０％のゴルファーがアドレス時に違和感を感じるとの回答があった。比較例１は、隆起部のフェース側の端縁とバック側の端縁が平行であるため、フェース面を閉じるようにアドレスを行ったとき、隆起部のフェース側の端縁のみならず、バック側の端縁もターゲットラインに対して直交しないため（トゥ側がフェース側に傾斜する）、違和感を感じるようであった。
【００５２】
また、比較例２では、２５％のゴルファーがアドレス時に違和感を感じるとの回答があった。比較例２は、隆起部のトゥ側の幅がヒール側よりも大きすぎるため、隆起部のフェース側の端縁とバック側の端縁のなす角が大きすぎると感じられているようである。そのため、フェース面を閉じるようにアドレスを行ったとき、隆起部のバック側の端縁がターゲットラインに対して直交しないため（トゥ側がバック側に大きく傾斜する）、違和感を感じるようであった。
【符号の説明】
【００５３】
１  フェース部
２  クラウン部
２１  隆起部
２２  基部
２３  傾斜面
３  ソール部
４  ホーゼル部
【図１】
2018175517.tif 000003
【図２】
2018175517.tif 000004
【図３】
2018175517.tif 000005
【図４】
2018175517.tif 000006
【図５Ａ】
2018175517.tif 000007
【図５Ｂ】
2018175517.tif 000008
【図６】
2018175517.tif 000009
【図７】
2018175517.tif 000010